(57)【要約】      （修正有）【課題】特に乱れた強い水流を発生させることにより、フルーツや野菜を洗浄して水切りする装置を提供する。【解決手段】脱着式フタ付き野菜水切り器は、本体２０の上部に蓋部材１０が枢設され、ユーザーが蓋部材を枢転して開閉状態を制御し、また、本体の内部にカゴ部材５０が設置され、カゴ部材は動力により回転することができ、さらに、カゴ部材に、複数の従動歯形状部４５を備える回転部材４０が組み合わされ、蓋部材に、複数の駆動歯形状部３４を備える駆動部３３が設置され、駆動部の駆動歯形状部と回転部材の従動歯形状部とは、それぞれの縦面及び傾斜面を介して互いに噛合されることから、蓋部材を閉じる場合、駆動部を回転部材に確固に結合させることができ、電源を入れると、この回転部材及びカゴ部材を回転させ、水切り器の内部で強い水流を発生させてフルーツや野菜を綺麗に洗浄することができる。【選択図】図１
2019025312.tif 000002
【特許請求の範囲】
【請求項１】
蓋部材と、本体と、動力部材と、回転部材と、カゴ部材を有し、
前記蓋部材の底面の後側に上枢設座が設けられると共に、前側にロック部が設けられ、中央に取付部が形成され、
前記本体は、中空状を呈し、該本体の後側に枢転仕組みが設置され、該枢転仕組みは、下枢設座を含み、該下枢設座は、蓋部材の上枢設座に枢設され、前記蓋部材が枢転仕組みを介して本体に対して枢転することにより開閉状態を切り替え、該本体の前側に開閉仕組みが設置され、該開閉仕組みは、係合部を含み、該係合部は、蓋部材のロック部に着脱可能に係合され、前記蓋部材が開閉仕組みを介して本体に対してロック解錠状態を切り替え、該本体の内部底面に安定軸が突起され、
前記動力部材は、ベースを備え、該ベースは、前記蓋部材の取付部に固定され、該ベースにモータ及び駆動部が連動するように設置され、該駆動部に複数の駆動歯形状部が環状に配列するように設けられ、該各駆動歯形状部の一側に駆動縦面が設けられると共に、他側に駆動傾斜面が設けられ、
前記回転部材は、プレートを備え、該プレートの周縁に複数の組立式タブが下方に向かって延設され、該プレートの中心に結合用凹部が形成され、該結合用凹部の内周面に複数の従動歯形状部が中心に向かって環状に配列するように凸設され、該各従動歯形状部の一側に従動縦面が設けられると共に、他側に従動傾斜面が設けられ、該回転部材は、結合用凹部を介して動力部材の駆動部に環装され、該複数の従動歯形状部は、複数の駆動歯形状部に噛合され、
前記カゴ部材は、本体の内部に配置され、中空状を呈し、上側に給送口が形成され、壁に複数の流動孔が貫穿され、該壁における給送口の近傍に複数の組立式凹部が形成され、前記組立式タブが組立式凹部に取り付けられることにより、前記回転部材が給送口に組み合わされ、該カゴ部材の底部に受け座部が設けられ、該受け座部は、安定軸に環装されることを特徴とする脱着式フタ付き野菜水切り器。
【請求項２】
前記蓋部材は、互いに組み合わされる上蓋板及び蓋底板を備え、該上蓋板の後側に前記上枢設座が設けられ、該蓋底板の前側に前記係合部が設けられ、
前記本体は、互いに組み合わされるハウジングケース及びカバーを備え、該カバーの後側に前記下枢設座が設けられると共に、該カバーの前側に前記係合部が設けられ、
前記枢転仕組みは、下枢設座と上枢設座との間に設置され、第一軸を備え、該第一軸は、下枢設座及び上枢設座に貫設され、該第一軸に第一弾性部材が環装され、該第一弾性部材の一端が蓋部材に当接されると共に、他端が本体に当接され、
前記開閉仕組みは、係合具と、第二軸と、第二弾性部材を備え、該第二軸は、係合具及び係合部に貫設され、該第二弾性部材は、第二軸に環装され、該第二弾性部材の一端が係合具に当接されると共に、他端が係合部に当接され、該係合具がロック部に係合されることを特徴とする請求項１に記載の脱着式フタ付き野菜水切り器。
【請求項３】
前記取付部は、蓋部材の蓋底板に設けられ、該蓋底板に収容凹部が形成され、該収容凹部の底部に貫通穴が貫穿され、
前記ベースは、蓋底板の取付部に取り付けられ、
前記駆動部は、蓋底板の外部に突出することを特徴とする請求項２に記載の脱着式フタ付き野菜水切り器。
【請求項４】
前記蓋底板の底面に環状溝が凹設され、該環状溝の底部に複数の貫通穴が間隔をおいて形成され、該環状溝に密封環が取り付けられ、該密封環の下部は環状溝の外部に延出し、該密封環の上部に複数の棒状突起が設けられ、該棒状突起はそれぞれ、環状溝の貫通穴に挿設され、
前記本体のカバーの中央に収容開口が形成され、前記密封環が収容開口の周縁と接触するように密接することを特徴とする請求項２または３に記載の脱着式フタ付き野菜水切り器。
【請求項５】
前記回転部材に、複数の第一流し部が環状に配列するように下方に向かって設けられ、
前記カゴ部材の底面に、複数の第二流し部が間隔をおいて環状に配列するように上方に向かって設けられることを特徴とする請求項４に記載の脱着式フタ付き野菜水切り器。
【請求項６】
前記本体の底部に、該本体の内部と連通する排水弁組品が取り付けられることを特徴とする請求項５に記載の脱着式フタ付き野菜水切り器。
【請求項７】
前記回転部材のプレートの上部に取っ手が取り付けられることを特徴とする請求項６に記載の脱着式フタ付き野菜水切り器。
【請求項８】
前記本体の上部に取っ手が取り付けられることを特徴とする請求項７に記載の脱着式フタ付き野菜水切り器。
【発明の詳細な説明】
【技術分野】
【０００１】
本発明は、特に水の流れを乱しフルーツや野菜を洗浄して水切りをする脱着式フタ付き野菜水切り器に関するものである。
【背景技術】
【０００２】
従来の野菜の水切り器はその洗浄装置の基本構造として、、ハウジングケースを備え、また該ハウジングケースの内部に、動力駆動による洗浄動作を行うカゴが取り付けられ、それに該カゴの上部に脱着式上蓋が着脱可能に設けられています。使用する時は、フルーツや野菜などをハウジングケースに入れて上蓋を閉め、動力駆動によりカゴの内部の水の流れを乱れさせることにより、フルーツや野菜を綺麗に洗浄することができる。
【先行技術文献】
【特許文献】
【０００３】
【特許文献１】台湾実用新案第Ｍ５２３４０９号
【発明の概要】
【発明が解決しようとする課題】
【０００４】
従来の野菜水切り器を使用する時は、上蓋板をハウジングケースから取り外してテーブルなどに置き、フルーツ又は野菜をカゴに入れて水を入れ、そして、上蓋板をしっかりと閉め、電源を入れて、乱れた水の流れを作り出すことによりフルーツ又は野菜を洗浄することができる。洗浄が終了したら、上蓋板を取り外してフルーツ又は野菜をカゴから取り出し、使用済みの水を捨てればよい。しかしながら、従来の野菜水切り器は、使用上非常に不便であり、手間や時間がかかるので、改良する必要があった。
【課題を解決するための手段】
【０００５】
本発明に係る脱着式フタ付き野菜水切り器は、
蓋部材と、本体と、動力部材と、回転部材と、カゴ部材を有し、
前記蓋部材の底面の後側に上枢設座が設けられると共に、前側にロック部が設けられ、中央に取付部が形成され、
前記本体は、中空状を呈し、該本体の後側に枢転仕組みが設置され、該枢転仕組みは、下枢設座を含み、該下枢設座は、蓋部材の上枢設座に枢設され、前記蓋部材が枢転仕組みを介して本体に対して枢転することにより開閉状態を切り替え、該本体の前側に開閉仕組みが設置され、該開閉仕組みは、係合部を含み、該係合部は、蓋部材のロック部に着脱可能に係合され、前記蓋部材が開閉仕組みを介して本体に対してロック解錠状態を切り替え、該本体の内部底面に安定軸が突起され、
前記動力部材は、ベースを備え、該ベースは、前記蓋部材の取付部に固定され、該ベースにモータ及び駆動部が連動するように設置され、該駆動部に複数の駆動歯形状部が環状に配列するように設けられ、該各駆動歯形状部の一側に駆動縦面が設けられると共に、他側に駆動傾斜面が設けられ、
前記回転部材は、プレートを備え、該プレートの周縁に複数の組立式タブが下方に向かって延設され、該プレートの中心に結合用凹部が形成され、該結合用凹部の内周面に複数の従動歯形状部が中心に向かって環状に配列するように凸設され、該各従動歯形状部の一側に従動縦面が設けられると共に、他側に従動傾斜面が設けられ、該回転部材は、結合用凹部を介して動力部材の駆動部に環装され、該複数の従動歯形状部は、複数の駆動歯形状部に噛合され、
前記カゴ部材は、本体の内部に配置され、中空状を呈し、上側に給送口が形成され、壁に複数の流動孔が貫穿され、該壁における給送口の近傍に複数の組立式凹部が形成され、前記組立式タブが組立式凹部に取り付けられることにより、前記回転部材が給送口に組み合わされ、該カゴ部材の底部に受け座部が設けられ、該受け座部は、安定軸に環装されるものである。
【発明の効果】
【０００６】
本発明に係る脱着式フタ付き野菜水切り器は、上述した構成を有することから、以下のメリットを有する。
本発明における蓋部材は、上蓋板を介して本体の一側に枢設されることから、該蓋部材は通常、本体に対して上方に向かって枢転し、更に、この本体の他側に係合具が設けられることから、該係合具を解錠すると、蓋部材が自動的に上方へ回転して本体を開けるので、操作上非常に便利である。
【０００７】
また、本発明における上蓋板の下部にある駆動部に複数の駆動歯形状部が凸設され、カゴ部材の上部にある回転部材の結合用凹部に複数の従動歯形状部が凸設され、該駆動歯形状部の駆動縦面及び駆動傾斜面はそれぞれ、従動歯形状部の従動縦面及び従動傾斜面に噛合されることから、蓋部材を閉じると、駆動部を回転部材に確固に結合させることができる。
【０００８】
さらに、前記本体の底部に排水弁組品が設置され、該排水弁組品は、本体の内部と連通することから、フルーツや野菜の洗浄に使用した水を、排水弁組品から排出することができる。
【０００９】
更に、本発明に係るフルーツと野菜の水切り器においては、本体の外部に取っ手が設置されることから、搬送し易いと共に、回転部材にも取っ手が設置されるため、回転部材をカゴ部材から取り外し易い。
【図面の簡単な説明】
【００１０】
【図１】本発明の蓋部材を開けた状態を示す部分分解斜視図である。
【図２】本発明の分解斜視図である。
【図３】本発明の他の分解斜視図である。
【図４】本発明の断面説明図である。
【図５】本発明の部分拡大断面説明図である。
【図６】本発明の他の部分拡大断面説明図である。
【図７】本発明の動力部材及び回転部材を示す分解斜視説明図である。
【図８】本発明の蓋部材を本体に組み合せて閉じた状態を示す斜視図である。
【発明を実施するための形態】
【００１１】
以下、添付図面を参照して本発明の適切な実施の形態を詳細に説明する。
【００１２】
図１及び図２に示すように、本発明に係る脱着式フタ付き野菜水切り器は、蓋部材１０と、本体２０と、動力部材３０と、回転部材４０と、カゴ部材５０を有する。
【００１３】
前記蓋部材１０は、上蓋板１１と、蓋底板１２と、密封環１３と、ロック部１４を備え、該上蓋板１１はカバーであり、後側に上枢設座１１１が設けられると共に、表面に操作パネル１１２が設置され、該操作パネル１１２により水切り器の操作を行う。
【００１４】
図３、図４、図６に示すように、前記蓋底板１２はプレートであり、中央に取付部１２０が形成され、該取付部１２０は、蓋底板１２のプレートに凹設される収容凹部を有し、該収容凹部の底部に貫通穴が貫穿され、該蓋底板１２の底面に環状溝１２１が凹設され、該環状溝１２１の底部に複数の貫通穴１２２が間隔をおいて形成される。尚、本実施例における環状溝１２１と取付部１２０は、同じ蓋底板１２の中心に位置する。
【００１５】
前記環状溝１２１に密封環１３が取り付けられ、該密封環１３の下部が環状溝１２１の外部に突出し、該密封環１３の上部に複数の棒状突起が設けられ、該棒状突起はそれぞれ、環状溝１２１の貫通穴１２２に挿設され、前記蓋底板１２の前側にロック部１４が設けられる。尚、本実施例におけるロック部１４は、横方向に延出する凸部である。
【００１６】
図２、図３、図４に示すように、前記本体２０は、蓋部材１０の上部に取り付けられ、ハウジングケース２１と、カバー２２と、枢転仕組みと、開閉仕組みを備え、該ハウジングケース２１は、中空状を呈し、上側に開口が形成され、該ハウジングケース２１の内壁における開口の近傍に、複数の位置決め部２１１が設けられ、該ハウジングケース２１の内部底面に安定軸２１２が凸設され、該カバー２２の中央に収容開口２２０が形成され、前記密封環１３が収容開口２２０に当接するように密着し、該カバー２２の底面に、複数の固定棒２２１が凸設され、該固定棒２２１はそれぞれ、位置決め部２１１に対応するようにファスナーやネジなどの従来の固定手段により固定される。
【００１７】
図２、図５、図６に示すように、前記枢転仕組みは、本体２０のカバー２２の後側に設置され、カバー２２と、第一軸２３と、第一弾性部材２４を備え、該カバー２２に前記下枢設座２２２が設けられ、該第一軸２３は、下枢設座２２２及び上蓋板１１の上枢設座１１１に貫設され、該第一弾性部材２４は第一軸２３に環装され、その一端が上蓋板１１に当接されると共に、他端がカバー２２に当接される。尚、この構成によれば、蓋部材１０が常にカバー２２に対して上方に枢転して開いた状態となり、該第一弾性部材２４は、ねじりばねであることが好ましい。
【００１８】
前記開閉仕組みは、本体２０のカバー２２の前側に設置され、係合部２２３と、係合具２５と、第二軸２６と、第二弾性部材２７を備え、該係合部２２３はカバー２２に設置され、該係合具２５は係合部２２３に設置され、該第二軸２６の一端が係合具２５に当接されると共に、他端がカバー２２に当接される。尚、前記係合具２５は常に蓋底板１２に向かって枢転して蓋底板１２のロック部１４に係合され、該第二弾性部材２７は、ねじりばねであることが好ましい。
【００１９】
図２、図３、図７に示すように、前記動力部材３０は、ベース３１を備え、該ベース３１は中空状の座部であり、内部に歯車構造３１１が設置され、該ベース３１の一端にモータ３２が取り付けられ、該ベース３１の他端に駆動部３３が取り付けられ、該歯車構造３１１の一端がモータ３２の出力軸と連接されると共に、該歯車構造３１１の他端が駆動部３３の一端と連接され、該駆動部３３の他端に複数の駆動歯形状部３４が凸設され、それらの駆動歯形状部３４は円環状に配列され、この円環状の円心は、駆動部３３の回転中心と同一であり、該各駆動歯形状部３４は、駆動縦面３４１及び駆動傾斜面３４２を備え、該駆動縦面３４１の延出線と駆動傾斜面３４２の延出線との間に角度を設け、そのうち、隣り合う２つの駆動歯形状部３４において、一方の駆動歯形状部３４の駆動縦面３４１は、他方の駆動歯形状部３４の駆動傾斜面３４２と隣り合うように配列され、また、前記動力部材３０のベース３１は、蓋底板１２の取付部１２０に嵌め込まれ、駆動部３３は蓋底板１２の下方から突出する。
【００２０】
前記回転部材４０はプレート４１を備え、該プレート４１に複数の第一流し部４２が下方に向かって突出し、それらの第一流し部４２は、環状に配列され、該プレート４１の周縁に複数の組立式タブ４３が下方に向かって延設され、該プレート４１の中心に結合用凹部４４が形成され、該結合用凹部４４の内周面に、複数の従動歯形状部４５が中心に向かって環状に配列するように凸設され、該各従動歯形状部４５の一側に従動縦面４５１が設けられると共に、他側に従動傾斜面４５２が設けられ、該従動縦面４５１の延出線と従動傾斜面４５２の延出線との間に角度が設けられ、該プレート４１の上部に取っ手４６が枢設され、該取っ手４６を用いれば、回転部材４０を持ち運ぶことができる。
【００２１】
図２、図３、図４に示すように、前記カゴ部材５０は中空状を呈し、上側に給送口５１が形成され、該カゴ部材５０の底部の中心に受け座部５２が設けられ、該カゴ部材５０の底面に、複数の第二流し部５３が上方に向かって間隔をおいて環状に配列するように設けられ、該カゴ部材５０の壁に複数の流動孔５４が貫穿され、該壁における給送口５１の近傍に、複数の組立式凹部５５が形成され、前記カゴ部材５０は、本体２０のハウジングケース２１の内部に設置され、該受け座部５２は、回転可能に安定軸２１２に取り付けられる。
更に、本発明に係る脱着式フタ付き野菜水切り器は、排水弁組品６０を有し、該排水弁組品６０は、本体２０の内部と連通するように、該本体２０の底部に取り付けられる。尚、図面に示した排水弁組品６０は、水開閉弁であり、本体２０の内部にある水の排出を制御することができる。
【００２２】
本発明に係る脱着式フタ付き野菜水切り器は、本体２０の外部に取っ手２１０が取り付けられ、本実施例における取っ手２１０は、本体２０の上部に枢設され、これによれば、取っ手２１０を持って水切り気を搬送することができる。
また、本発明に係る脱着式フタ付き野菜水切り器を使用する時は、ユーザーが係合具２５を押して、蓋部材１０を本体２０に対して上方に枢転させて開けると共に、取っ手４６を枢転させて回転部材４０を持ち上げてカゴ部材５０から取り出し、フルーツや野菜を給送口５１からカゴ部材５０に入れ、回転部材４０で給送口５１をカバーするようにカゴ部材５０に組み合わせ、組立式タブ４３を組立式凹部５５に対応するように係合することにより、回転部材４０とカゴ部材５０とを組み合せ、蓋部材１０を本体２０に対して下方に枢転させて閉じればよい。
【００２３】
図４及び図８に示すように、この時、蓋底板１２に取り付けられた密封環１３が、カバー２２の収容開口２２０に当接するように密封される。蓋部材１０が閉じた状態においては、動力部材３０の駆動部３３が、回転部材４０の結合用凹部４４の従動歯形状部４５に係合され、すなわち、該駆動歯形状部３４の駆動傾斜面３４２が従動歯形状部４５の従動傾斜面４５２に係合されることにより、駆動歯形状部３４及び従動歯形状部４５が互いに係合される。また、係合具２５は、上蓋板１１のロック部１４に係合されるので、蓋部材１０を穏やかに本体２０に固定することができる。
【００２４】
そして、モータ３２を駆動すると、動力が歯車構造３１１により駆動部３３に伝達されて駆動部３３を回転させ、駆動歯形状部３４の駆動縦面３４１が結合用凹部４４にある従動歯形状部４５の従動縦面４５１に当接して連動することから、動力を利用して回転部材４０及びカゴ部材５０を回転することができるので、水切り器の内部で強い水流を発生させてフルーツや野菜を綺麗に洗浄することができる。
【符号の説明】
【００２５】
１０      蓋部材
１１      上蓋板
１２      蓋底板
１２０    取付部
１２１    環状溝
１２２    貫通穴
１３      密封環
１４      ロック部
１１１    上枢設座
１１２    操作パネル
２０      本体
２１      ハウジングケース
２１０    取っ手
２１１    位置決め部
２１２    安定軸
２２      カバー
２２０    収容開口
２２１    固定棒
２２２    下枢設座
２２３    係合部
２３      第一軸
２４      第一弾性部材
２５      係合具
２６      第二軸
２７      第二弾性部材
３０      動力部材
３１      ベース
３１１    歯車構造
３２      モータ
３３      駆動部
３４      駆動歯形状部
３４１    駆動縦面
３４２    駆動傾斜面
４０      回転部材
４１      プレート
４２      第一流し部
４３      組立式タブ
４４      結合用凹部
４５      従動歯形状部
４５１    従動縦面
４５２    従動傾斜面
４６      取っ手
５０      カゴ部材
５１      給送口
５２      受け座部
５３      第二流し部
５４      流動孔
５５      組立式凹部
６０      排水弁組品
【図１】
2019025312.tif 000003
【図２】
2019025312.tif 000004
【図３】
2019025312.tif 000005
【図４】
2019025312.tif 000006
【図５】
2019025312.tif 000007
【図６】
2019025312.tif 000008
【図７】
2019025312.tif 000009
【図８】
2019025312.tif 000010